【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
エチレンと、少なくとも１つのα−オレフィンモノマーとのコポリマーを含む多峰性エラストマーであって、前記多峰性エラストマーが、
２０〜９０重量％の高分子量（ＨＭＷ）画分であって、ゲル浸透クロマトグラフィー（ＧＰＣ）に従って測定した場合、少なくとも５０ｋｇ／ｍｏｌの数平均分子量（Ｍｎ）を有し、かつ前記ＨＭＷ画分が、少なくとも３５重量％のエチレンおよび少なくとも３０重量％のα−オレフィンコモノマーを含む、高分子量（ＨＭＷ）画分と、
低分子量画分（ＬＭＷ）画分であって、前記ＬＭＷ画分が、４〜２５ｋｇ／ｍｏｌのＭｎを有し、かつ少なくとも５０重量％のエチレンおよび少なくとも２９重量％のα−オレフィンコモノマーを含み、前記ＨＭＷ画分のＭｎ対前記ＬＭＷ画分のＭｎの比が、少なくとも５対１である、低分子量画分（ＬＭＷ）画分と、を含み、
前記多峰性エラストマーが、０．８５３〜０．８７５ｇ／ｃｃの密度、１００ｒａｄ／ｓで２，５００Ｐａ−ｓ未満のせん断粘度、および０．１ｒａｄ／ｓで１２０，０００Ｐａ−ｓ未満のせん断粘度を有する、多峰性エラストマー。
【請求項２】
前記α−オレフィンモノマーが、Ｃ３−Ｃ１２α−オレフィンから選択される１つ以上のα−オレフィンを含む、請求項１に記載の多峰性エラストマー。
【請求項３】
前記α−オレフィンモノマーが、１−オクテンである、請求項１または２に記載の多峰性エラストマー。
【請求項４】
前記ＨＭＷ画分中に組み込まれる前記α−オレフィンモノマーの重量パーセントが、前記ＬＭＷ画分中に組み込まれる前記α−オレフィンモノマーの重量パーセントより大きい、請求項１〜３のいずれかに記載の多峰性エラストマー。
【請求項５】
前記ＨＭＷ画分中の前記α−オレフィンモノマーの重量パーセントが、前記ＬＭＷ画分中の前記α−オレフィンモノマーの重量パーセントより少なくとも４％大きい、請求項１〜４のいずれかに記載の多峰性エラストマー。
【請求項６】
前記多峰性エラストマーが、５０〜８５重量％の前記高ＨＭＷ画分を含む、請求項１〜５のいずれかに記載の多峰性エラストマー。
【請求項７】
前記多峰性エラストマーが、０．１ｒａｄ／ｓで６０，０００Ｐａ．ｓ未満のせん断粘度を有する、請求項１〜６のいずれかに記載の多峰性エラストマー。
【請求項８】
前記ＨＭＷ画分のＭｎ対前記ＬＭＷ画分のＭｎの比が、少なくとも８対１である、請求項１〜７のいずれかに記載の多峰性エラストマー。
【請求項９】
請求項１〜８のいずれかに記載の多峰性エラストマーと、
ポリプロピレンと、を含む、熱可塑性オレフィン。
【請求項１０】
追加のエラストマー、ブロック複合体、充填剤、または組み合わせを含む、請求項９に記載の熱可塑性オレフィン。
【請求項１１】
多峰性エラストマーの製造方法であって、
少なくとも１つのエチレンモノマーと、少なくとも１つのα−オレフィンコモノマーと、ビフェニルフェノール錯体を含む第１の触媒と、拘束幾何錯体を含む第２の触媒と、を反応器系に添加することと、
少なくとも１００℃の温度で溶液重合を介して前記多峰性エラストマーを生成することと、を含み、
前記多峰性エラストマーが、２０〜９０重量％の高分子量（ＨＭＷ）画分および低分子量（ＬＭＷ）画分を含み、
ゲル浸透クロマトグラフィー（ＧＰＣ）に従って測定した場合、前記ＨＭＷ画分が、少なくとも５０ｋｇ／ｍｏｌの数平均分子量（Ｍｎ）を有し、前記ＨＭＷ画分が、少なくとも３５重量％のエチレンおよび少なくとも３０重量％のα−オレフィンコモノマーを含み、前記ＬＭＷ画分が、４〜２５ｋｇ／ｍｏｌのＭｎを有し、前記ＬＭＷ画分が、少なくとも５０重量％のエチレンおよび少なくとも２９重量％のα−オレフィンコモノマーを含み、
前記多峰性エラストマーが、少なくとも５対１の前記ＨＭＷ画分のＭｎ対前記ＬＭＷ画分のＭｎの比、０．８５３〜０．８７５ｇ／ｃｃの密度、１００ｒａｄ／ｓで２，５００Ｐａ−ｓ未満のせん断粘度、および０．１ｒａｄ／ｓで１２０，０００Ｐａ・ｓ未満のせん断粘度を含む、方法。
【請求項１２】
前記多峰性エラストマーが、２０〜９０重量％の高分子量（ＨＭＷ）画分を含む、請求項１１に記載の方法。
【請求項１３】
前記ＨＭＷ画分中の前記α−オレフィンモノマーの重量％が、前記ＬＭＷ画分中の前記α−オレフィンモノマーの重量％より少なくとも４％大きい、請求項１１または１２に記載の方法。
【請求項１４】
前記反応器系が、単一の反応器を備える、請求項１１〜１３のいずれかに記載の方法。
【請求項１５】
前記反応器系が、２つの反応器を備える、請求項１１〜１３のいずれかに記載の方法。
【手続補正２】
【補正対象書類名】明細書
【補正対象項目名】０１７４
【補正方法】変更
【補正の内容】
【０１７４】
特許請求の範囲に記載の主題の趣旨および範囲から逸脱することなく、説明した実施形態に様々な修正を加えることができることが当業者には明らかであろう。したがって、本明細書は、そのような修正形態および変形形態が添付の特許請求の範囲およびそれらの均等物の範囲内に入る限り、記載された実施形態の修正形態および変形形態を網羅することが意図される。
なお、本発明には、以下の実施形態が包含される。
［１］エチレンと、少なくとも１つのα−オレフィンモノマーとのコポリマーを含む多峰性エラストマーであって、前記多峰性エラストマーが、
２０〜９０重量％の高分子量（ＨＭＷ）画分であって、ゲル浸透クロマトグラフィー（ＧＰＣ）に従って測定した場合、少なくとも５０ｋｇ／ｍｏｌの数平均分子量（Ｍｎ）を有し、かつ前記ＨＭＷ画分が、少なくとも３５重量％のエチレンおよび少なくとも３０重量％のα−オレフィンコモノマーを含む、高分子量（ＨＭＷ）画分と、
低分子量画分（ＬＭＷ）画分であって、前記ＬＭＷ画分が、４〜２５ｋｇ／ｍｏｌのＭｎを有し、かつ少なくとも５０重量％のエチレンおよび少なくとも２９重量％のα−オレフィンコモノマーを含み、前記ＨＭＷ画分のＭｎ対前記ＬＭＷ画分のＭｎの比が、少なくとも５対１である、低分子量画分（ＬＭＷ）画分と、を含み、
前記多峰性エラストマーが、０．８５３〜０．８７５ｇ／ｃｃの密度、１００ｒａｄ／ｓで２，５００Ｐａ−ｓ未満のせん断粘度、および０．１ｒａｄ／ｓで１２０，０００Ｐａ−ｓ未満のせん断粘度を有する、多峰性エラストマー。
［２］前記α−オレフィンモノマーが、Ｃ３−Ｃ１２α−オレフィンから選択される１つ以上のα−オレフィンを含む、前記［１］に記載の多峰性エラストマー。
［３］前記α−オレフィンモノマーが、１−オクテンである、前記［１］または［２］に記載の多峰性エラストマー。
［４］前記ＨＭＷ画分中に組み込まれる前記α−オレフィンモノマーの重量パーセントが、前記ＬＭＷ画分中に組み込まれる前記α−オレフィンモノマーの重量パーセントより大きい、前記［１］〜［３］のいずれかに記載の多峰性エラストマー。
［５］前記ＨＭＷ画分中の前記α−オレフィンモノマーの重量パーセントが、前記ＬＭＷ画分中の前記α−オレフィンモノマーの重量パーセントより少なくとも４％大きい、前記［１］〜［４］のいずれかに記載の多峰性エラストマー。
［６］前記多峰性エラストマーが、５０〜８５重量％の前記高ＨＭＷ画分を含む、前記［１］〜［５］のいずれかに記載の多峰性エラストマー。
［７］前記多峰性エラストマーが、０．１ｒａｄ／ｓで６０，０００Ｐａ．ｓ未満のせん断粘度を有する、前記［１］〜［６］のいずれかに記載の多峰性エラストマー。
［８］前記ＨＭＷ画分のＭｎ対前記ＬＭＷ画分のＭｎの比が、少なくとも８対１である、前記［１］〜［７］のいずれかに記載の多峰性エラストマー。
［９］前記［１］〜［８］のいずれかに記載の多峰性エラストマーと、
ポリプロピレンと、を含む、熱可塑性オレフィン。
［１０］追加のエラストマー、ブロック複合体、充填剤、または組み合わせを含む、前記［９］に記載の熱可塑性オレフィン。
［１１］多峰性エラストマーの製造方法であって、
少なくとも１つのエチレンモノマーと、少なくとも１つのα−オレフィンコモノマーと、ビフェニルフェノール錯体を含む第１の触媒と、拘束幾何錯体を含む第２の触媒と、を反応器系に添加することと、
少なくとも１００℃の温度で溶液重合を介して前記多峰性エラストマーを生成することと、を含み、
前記多峰性エラストマーが、高分子量（ＨＭＷ）画分および低分子量（ＬＭＷ）画分を含み、
ゲル浸透クロマトグラフィー（ＧＰＣ）に従って測定した場合、前記ＨＭＷ画分が、少なくとも５０ｋｇ／ｍｏｌの数平均分子量（Ｍｎ）を有し、前記ＨＭＷ画分が、少なくとも３５重量％のエチレンおよび少なくとも３０重量％のα−オレフィンコモノマーを含み、前記ＬＭＷ画分が、４〜２５ｋｇ／ｍｏｌのＭｎを有し、前記ＬＭＷ画分が、少なくとも５０重量％のエチレンおよび少なくとも２９重量％のα−オレフィンコモノマーを含み、
前記多峰性エラストマーが、少なくとも５対１の前記ＨＭＷ画分のＭｎ対前記ＬＭＷ画分のＭｎの比、０．８５３〜０．８７５ｇ／ｃｃの密度、１００ｒａｄ／ｓで２，５００Ｐａ−ｓ未満のせん断粘度、および０．１ｒａｄ／ｓで１２０，０００Ｐａ・ｓ未満のせん断粘度を含む、方法。
［１２］前記多峰性エラストマーが、２０〜９０重量％の高分子量（ＨＭＷ）画分を含む、前記［１１］に記載の方法。
［１３］前記ＨＭＷ画分中の前記α−オレフィンモノマーの重量％が、前記ＬＭＷ画分中の前記α−オレフィンモノマーの重量％より少なくとも４％大きい、前記［１１］または［１２］に記載の方法。
［１４］前記反応器系が、単一の反応器を備える、前記［１１］〜［１３］のいずれかに記載の方法。
［１５］前記反応器系が、２つの反応器を備える、前記［１１］〜［１３］のいずれかに記載の方法。